(57)【要約】【課題】植栽マットにおける灌水機能を充実し土壌の水分管理を容易にし、且つ植栽設備全体を敷設面上でより安定させることを目的とする。【解決手段】少なくとも、一側壁上端部に断面略鉤型で上面幅広の連係部を外方に形設し、他の一側壁上端部に断面略鉤型で上面幅狭の連係部を外方に形設した植栽マット用貯水槽トレー。前記連係部の所要箇所の側端部分を切除し、上面幅広の連係部の上面を上面幅狭の連係部の上面より高く形設すると好適である。更に、貯水槽トレー内側を画成部材で複数の貯水槽に区画し、側壁上端部の所要箇所に凹溝を形設すると良好である。上記貯水槽トレーの中から所望の貯水槽トレーを選択して使用し、上面幅広の連係部と上面幅狭の連係部を相互に係合して敷設面に連設して使用する。【選択図】図１０
2008173135.tif 000002
【特許請求の範囲】
【請求項１】
内側を連結リブで区画して複数の貯水槽とし、
前記連結リブの上部に、前記貯水槽相互を通水可能な通水用凹溝を形成し、
前記連結リブと敷設面との間に空間を形成することを特徴とする植栽用の貯水槽トレー。
【請求項２】
前記通水用凹溝を前記連結リブの略中央に形成することを特徴とする請求項１記載の貯水槽トレー。
【請求項３】
合成樹脂で形成されていることを特徴とする請求項１又は２記載の貯水槽トレー。
【請求項４】
請求項１又は２記載の貯水槽トレーを敷設面に複数敷設し、前記貯水槽トレー上に植栽部を設けることを特徴とする植栽設備。
【発明の詳細な説明】
【技術分野】
【０００１】
本発明は、ビルの屋上、ベランダ、テラスなど特に人工地盤に配設して、植物、特に芝生などの地被植物、草花、野菜などを育成する植栽マットに係り、植栽マット用貯水槽トレーに関する。
【背景技術】
【０００２】
従来、ビルの屋上、ベランダ、テラスのように平面的な敷設面を有する箇所に植物を植栽する場合には、防水層及び防根層を形成し又はシートを敷き、その上に土壌を盛って芝生等の地被植物、草木、野菜などを植栽していた(例えば、特開平４−９９４１１号公報)。
【０００３】
しかし、上記のように人工地盤上に土壌を敷設する際には、防水層や防根層等の設備が必要となる。そのため、既存の建築物には通用し難く、又新建築物に適用する場合にもコスト負担が大きくなる。加えて、上記のような植栽設備を設置するには大掛かりな作業が必要となり、非常な時間と労力を要する。
【０００４】
そして、一般に防水層の寿命は１０年〜１５年と言われており、又寿命以外にも植栽工事などで不慮にして敷設面や防水面に損傷を生じた場合に、漏水防止のために植栽植物や土壌を撤去して防水層を補修する必要がある。この撤去作業にも非常な時間と労力を要する。
【発明の開示】
【発明が解決しようとする課題】
【０００５】
本発明は上記問題点の改良を図るための植栽マット用貯水槽トレー提供をするものであり、植栽マットにおける灌水機能を充実し土壌の水分管理を容易にすることを目的とする。
【０００６】
更に、他の目的は灌水機能を充実させつつ、植栽設備全体を敷設面上でより安定させることを目的とする。
【課題を解決するための手段】
【０００７】
本発明による植栽マット用貯水槽トレーは、少なくとも一側壁上端部に断面略鉤型の連係部を外方に形設したことを特徴とする。
【０００８】
また、植栽マット用貯水槽トレーは、少なくとも、一側壁上端部に断面略鉤型で上面幅広の連係部を外方に形設し、他の一側壁上端部に断面略鉤型で上面幅狭の連係部を外方に形設したことを特徴とする。
【０００９】
そして、上記植栽マット用貯水槽トレーは、前記上面幅広の連係部と前記上面幅狭の連係部の各側端部分の内、所要箇所の該側端部分が切除されていることを特徴とする。
【００１０】
更に、上記植栽マット用貯水槽トレーは、前記上面幅広の連係部の上面を前記上面幅狭の連係部の上面より高く形設したことを特徴とする。
【００１１】
更に、上記植栽マット用貯水槽トレーは、内側を画成部材で複数の貯水槽に区画することを特徴とする。更に、上記植栽マット用貯水槽トレーは、側壁上端部の所要箇所に凹溝を形設することを特徴とする。
【００１２】
また、本発明の植栽用の貯水槽トレーは、内側を連結リブで区画して複数の貯水槽とし、前記連結リブの上部に、前記貯水槽相互を通水可能な通水用凹溝を形成し、前記連結リブと敷設面との間に空間を形成することを特徴とする。また、前記貯水槽トレーは、前記通水用凹溝を前記連結リブの略中央に形成する、又、合成樹脂で形成されていることを特徴とする。
【００１３】
また、上記植栽マット用貯水槽トレーを用いた植栽マット用貯水槽トレー設備は、上記植栽マット用貯水槽トレーの中から所望の植栽マット用貯水槽トレーを選択して使用し、前記上面幅広の連係部と前記上面幅狭の連係部を相互に係合して敷設面に連設することを特徴とする。また、本発明の植栽設備は、本発明の貯水槽トレーを敷設面に複数敷設し、前記貯水槽トレー上に植栽部を設けることを特徴とする。
【００１４】
上記植栽マット用貯水槽トレー設備を傾斜部分がある敷設面に設ける際に、少なくとも一側壁上端部に上面幅広の連係部を外方に形設し、前記側壁に対向する他の側壁上端部に上面幅狭の連係部を外方に形設した貯水槽トレーを複数個用いる場合は、上面幅広の連係部が形設された側壁を傾斜面の下方に位置させて貯水槽トレーを敷設し、上面幅狭の連係部は他の貯水槽トレーの上面幅広の連係部と係合し、他の貯水槽トレーを上方に順次敷設すると好適である。
【００１５】
上記貯水槽トレーは、例えば貯水槽トレーの幅狭連係部の上面に、隣接して配置される他の貯水槽トレーの幅広連係部の上面を載置して係合し、鉤形の連係部で相互に貯水槽トレーを連設することができるので、貯水槽トレーを多数組み合わせ、より大きな面積の植栽マット底面潅水用の貯水槽トレーを敷設することが可能となる。これにより、灌水機能を充実させると共に、安定した敷設が可能になる植栽設備とすることができる。
【００１６】
そして、幅広連係部の上面を幅狭連係部の上面より高く、例えば幅狭連係部の板厚分高く形設することで、複数の貯水槽トレーを敷設面上に敷設するに当たり、隣接して配置される各貯水槽トレーの幅狭連係部と幅広連係部を重合載置して連設する際、各貯水槽トレーの底面が敷設面に対して浮き上がることなく鉤形の連係部で連設される。従って、敷設した貯水槽トレーひいては貯水槽トレー内に設けられる植栽マットを更に安定した状態に保つことができる。
【００１７】
また、貯水槽トレーの幅広連係部と幅狭連係部がぶつかり合う貯水槽トレーの角部分において、断面略鉤型で上面と垂下部分からなる各連係部の所望箇所を切除することで、各貯水槽トレーを敷設した際に、前記角部分における連係部の重合によって生ずる貯水槽トレーの浮き上がりを防止でき、貯水槽トレー及び植栽マットを更に安定した状態で敷設することができる。
【００１８】
また、複数の貯水槽トレーを傾斜を有する敷設面に敷設する場合には、幅広連係部を備えた側壁が傾斜面の下方に位置するように順次敷設することで、傾斜面の上部からの植栽マット及び貯水槽トレーへの給水に対して、順次下方に水が流れて水漏れなく灌水することができる。
【発明の効果】
【００１９】
本発明による植栽マット用の貯水槽トレー及びその敷設方法は上記構成であるから、植栽マットにおける灌水機能を充実し土壌の水分管理を容易にすることができる効果を奏する。更に、植栽マットを用いた植栽設備の灌水機能を充実させつつ、植栽設備全体を敷設面上でより安定させることができる効果を有する。
【発明を実施するための最良の形態】
【００２０】
以下、具体的な実施形態に基づいて説明するが、本発明はかかる実施形態によって限定されるものではない。第一実施形態の植栽マット用の貯水槽トレー１は、図１に示す如く貯水槽となるセルが一つ凹設された方形で、貯水槽トレー１の右側に位置するＤ部で相隣する二面の側壁１ａにはその各上端部において、断面略鉤型で上面が幅広の幅広連係部２が外側方向に一体的に形設されている（図５）。一方、貯水槽トレー１の左側に位置するＢ部で相隣する二面の側壁１ａにはその各上端部において、断面略鉤型で上面が幅狭の幅狭連係部３が外側方向に一体的に形設されている（図３）。幅広連係部２と幅狭連係部３は、図２乃至図５に示す如く共に上面２ａ、３ａ及び垂下部２ｂ、３ｂとからなる。
【００２１】
幅広連係部２が形設された側壁１ａは幅狭連係部３が形設された側壁１ａに対して、幅狭連係部３の上面３ａの板厚分高く立設し、換言すれば幅広連係部２は幅狭連係部３より上記板厚分高い位置に形設されている（図２、図４）。そして、相互に隣接して貯水槽トレー１を敷設する際に幅広連係部２や幅狭連係部３がぶつかり合う位置である貯水槽トレー１の角部分においては、図２乃至図５に示す如く垂下部２ｂ、３ｂの一部を切除してある。垂下部２ｂ、３ｂの切除長さは、隣接する連係部２、３の重合を阻害しない状態とすることを目的とするものであり適宜に決定される。
【００２２】
貯水槽トレー１の側壁１ａの各上端部の略中央部分には、通水用の凹溝４を形成してある（図１、図６）。隣接して配置される貯水槽トレー１の幅広連係部２を幅狭連係部３に重合載置する際、凹溝４は相互に嵌合する寸法構成であって、幅広の凹溝４の底面４ａが貯水槽トレー１の水位レベルとなる。
【００２３】
貯水槽トレー１内に収容される図１示例の植栽マット１０は、略方形で上部が開口するようにセル１１が凹設されている。セル１１は複数個凹設してもよい。図１右側で相隣する二面側壁１１ａの下部には内向きへこみ部１２が形設され、図１左側で他の相隣する二面側壁１１ａは上部から下部に向かって緩い内向きテーパ面となっている。
【００２４】
セル１１の側壁１１ａ下部から底面１１ｂ中心に向かって低隆起部１３が形成され、セル１１の中心付近である低隆起部１３端部の上面には、通水口１４が穿設されている。低隆起部１３の内側は逆Ｕ字形の空間で凹溝状の開口部１５となっており、植栽マット１０内の余剰水は通水口１４から開口部１５を通って貯水槽トレー１に排出される構成である。尚、植栽マット１０の周緑には補強としてリブ１６が形成されているが、植栽マット１０自体が必要強度を有すれば特になくてもよい。
【００２５】
通水口１４及び開口部１５の形状、寸法、個数等は、植栽マット１０及びセル１１の構成に応じて適宜決定され、底部１１ｂ或いは底部近傍にあればよく通水のための開口を有する構成であればよい。これは以下の実施形態でも同様である。また、植栽マット１０の構成、寸法等を限定するものではなく、本発明に適用可能な植栽マット１０の全てを包含するものである。
【００２６】
尚、貯水槽トレー１及び植栽マット１０の材質としては、合成樹脂製のものが良好であり、塩化ビニル、ポリプロピレン、ポリエステル、ポリエチレン、ポリスチレン等が用いられ、真空成型、ブロー成型、射出成型、押し出し成型等の成型方法で形成される。また、貯水槽トレー１、植栽用マット１０及びセル１１の大きさ(例えば、２５ｃｍ×２５ｃｍ、５０ｃｍ×５０ｃｍ等)、貯水槽トレー１の高さと植栽マット１０の高さとの相互関係は適宜で、貯水槽トレー１が底面潅水装置を構成する寸法関係にあればよい。
【００２７】
上記貯水槽トレー１及び植栽マット１０を実際に使用するに際しては、敷設面に貯水槽トレー１を敷設し、その中に植栽マット１０を収容する。植栽マット１０内には、フィルターを介して客土・軽量人工土壌等の植物育成材を詰め込み、そこに種子を撒き或いは植物を植え、植栽マット１０の上部からジョウロ等により給水する。一方、貯水槽トレー１には、ホース等で給水する。
【００２８】
給水された水は貯水レベルを規制する通水用の凹溝４の底面４ａまで貯水槽トレー１に貯水される。その際、貯水槽トレー１内では植栽マット１０の下部が潅水状態にあり、その内部の植物育成材も潅水され、毛細管現象により植物育成材の上面まで水分が行き渡り、その結果種子・植物の育成を維持出来る。
【００２９】
その後、植栽マット１０への上部からの給水・降雨などの余剰水は、植栽マット１０のセル１１内の通水口１４及び開口部１５から貯水槽トレー１に流出して貯水される。そして、セル１１内の植物育成材が水不足となった場合には、貯水槽トレー１内の水がセル１１内の開口部１５に導かれ、通水口１４から毛細管現象により吸水することとなる。
【００３０】
貯水槽トレー１は上記構成であるから、複数個の貯水槽トレー１を敷設面上に敷設する際に、隣接する貯水槽トレー１の幅広連係部２と幅狭連係部３の各上面２ａ、３ａを重合して係合載置することで、貯水槽トレー１を多数組み合わせて、より大きな面積の植栽マット１０の底面潅水装置を実現する。更に、幅広連係部２と幅狭連係部３の高さを調整し、貯水槽トレー１の角部分で垂下部２ｂ、３ｂに切除部分を設けることで、各貯水槽トレー１の底面１ｂが敷設面に対して浮き上がることなく敷設され、貯水槽トレー１の上端部は同一高さとなる。
【００３１】
更に、第二実施形態の貯水槽トレー１について説明する。図７に示す如く、貯水槽トレー１は、十字状の連結リブ５によって四個の貯水槽セル６を連設した構成で、全体として貯水槽トレー１は四個の貯水槽セル６に画成されている。即ち、連結リブ５は画成部材の役割を果たす。連結リブ５の下方で貯水槽セル６間には空間が形成されている。各貯水槽セル６の外側壁の上端部には、前記第一実施形態と同様に通水用の凹溝４を形設してある。
【００３２】
貯水槽トレー１を画成する連結リブ５は、貯水槽トレー１の外側壁の幅広連係部２の高さを越えない高さとすると好適である。前記連結リブ５の各側端部には、貯水槽トレー１の側壁内側との連結部分において通水用の凹溝７がそれぞれ一体形成され、これにより各貯水槽セル６内に通水される。前記通水用の凹溝７は、図７の鎖線示のように、連結リブ５の各辺の略中央部に形成してもよい。
【００３３】
また、上記第二実施形態と類似する第三実施形態の貯水槽トレー１は、図８に示す如く、十字状の画成部材８を貯水槽トレー１内に形設して、貯水槽トレー１内を四個の貯水槽セル６に画成している。各貯水槽セル６の外側壁の上端部には、前記実施形態と同様に、通水用の凹溝４を形設してある。
【００３４】
貯水槽トレー１を画成する画成部材８は、貯水槽トレー１の外側壁の幅広連係部２の高さを越えない高さとすると好適であり、貯水槽トレー１内で各貯水槽セル６を画成する画成部材８の各辺の略中央部には、通水用の凹溝７がそれぞれ一体形成されている。画成部材８は貯水槽トレー１と一体成型する、又は別部材としての画成部材８を貯水槽トレー１内に配設するなど適宜である。
【００３５】
上記第二及び第三実施形態において、図１の貯水槽トレー１右側に位置する相隣する二面外側壁の上端部に、断面略鉤形で上面が幅広の幅広連係部２を外側方向に一体に備え、図１左側に位置する相隣する二面外側壁の上端部に、断面略鉤形で上面が幅狭の幅狭連係部３を外側方向に一体に備えている点、幅広連係部２が形設された貯水槽トレー１の側壁１ａが、幅狭連係部３の側壁１ａに対して、幅狭連係部３の上面３ａの板厚分高く形設されている点（図２及び図４参照）、及び貯水槽トレー１の幅広連係部２と幅狭連係部３とがぶつかり合う角部分において、その上面２ａ、３ａ及び垂下部２ｂ、３ｂから成る断面路鉤形の連係部２、３を切除してある点については、前記第一実施形態と同様である。
【００３６】
尚、上記第一乃至第３実施形態において、外周の側壁１ａ上端部に形成した通水用の凹溝４を、対向する二面側壁１ａのみに形成して通水方向を規制することは、貯水槽トレー１の敷設環境・条件等により適宜である。
【００３７】
次に、貯水槽トレー１を敷設面上に敷設する場合について説明する。図９は複数の貯水槽トレー１をその断面略鉤型の連係部２、３を係合させて敷設し、各貯水槽トレー１内に鎖線示の図１示例の植栽マット１０を収容した使用状態を示している。また、図１０は図９のＦ部における貯水槽トレー１の連係部２、３の係合状態及び植栽マット１０との配置関係を示している。
【００３８】
貯水槽トレー１内に収容される図１示例の植栽マット１０は、その相隣する二面側壁１１ａの下部には内向きへこみ部１２を形設してあり、他の相隣する二面側壁１１ａは上部から下部に向かってゆるい内向きテーパ面となっている。敷設面に複数の貯水槽トレー１を敷設後、複数の植栽マット１０をその貯水槽トレー１内に所定方向に敷き詰めることで、貯水槽トレー１の側壁１ａ上端面と各植栽マット１０の側壁１１ａの対向するへこみ部１２相互とにより囲まれた空間は、給水管配設用の空間部２０として有効に使用することができる。
【００３９】
そして、貯水槽トレー１において、幅広連係部２のある側壁１ａは幅狭連係部３のある側壁１ａに対して、幅狭連係部３の上面３ａの板厚分高く形設されている。従って、複数の貯水槽トレー１を敷設面上に敷設するにあたり、図１０の如く隣接して配置される貯水槽トレー１の幅広連係部２を幅狭連係部３に重合載置して連設することで、各貯水槽トレー１の底面部１ｂが敷設面に対して浮き上がることがない。
【００４０】
ここで、植栽マット１０の変形例を示す。図１１の植栽マット１０はセル１１が一つの植栽マット１０で、底面１１ｂに中空脚部１７を有し、その四面側壁の下部は内向きへこみ部１２を形設してある。植栽マット１０の周縁には補強としてリブ１６が形設されている。
【００４１】
植栽マット１０の底面１１ｂの五箇所には、植栽マット１０内に通ずる中空脚部１７を一体に形設し、その脚部１７の底部１７ａには、脚部１７の側面から底面に亘って通水口１４が形成してある。通水口１４を設けない脚部１７の残りの底面部１７ａは植栽マット１０のセル１１の支持部分となる。即ち、中空脚部１７の底面支持部分はセル底面１１ｂよりも所定寸法下方に位置し、植栽マット１０の貯水槽トレー１に対する潅水レベルを調整できる構成である。尚、中空脚部１７の内部空間には、吸水性の良好な物質、例えばパーライト、不織布等を詰め込むこともある。
【００４２】
また、第二実施形態の貯水槽トレー１を敷設面上に敷設し、図１１示例の植栽マット１０を貯水槽トレー１に収納する場合を図１２、図１３に示す。ここでは、図７示例の貯水槽トレー１の複数個を、断面略鉤型の連係部２、３で係合させて敷設面上に敷設し、各貯水槽トレー１内に植栽マット１０を収納してある。
【００４３】
貯水槽トレー１内に収容される植栽マット１０は、その四面側壁１１ａの下部に内向きへこみ部１２を形設してあり、敷設面に貯水槽トレー１の複数個を敷設後、植栽マット１０の複数個をその貯水槽トレー１内に敷き詰めることで、貯水槽トレー１の側壁１ａ上端面と各植栽マット１０の側壁１１ａの対向するへこみ部１２相互とにより囲まれた空間は、給水管配設用の空間部２０として有効に使用することができる。
【００４４】
貯水槽トレー１の連結リブ５に形設された通水用の凹溝７は、図１３に示す如く形成されており、凹溝７の底面は、図１２における貯水槽トレー１の外側壁１ａに形成した通水用凹溝４の底面の高さと同一レベルか又はそれ以下である。
【００４５】
次に、本発明の貯水槽トレー１の敷設面上への敷設方法につき説明する。これは、ビルの屋上等のスラブは雨水等の排水の為に所定の傾斜を有するが、この傾斜面に沿って本発明の貯水槽トレー１を有効に敷設するものである。
【００４６】
まず、第１の貯水槽トレー１を傾斜を有する敷設面に敷設するに当たり、幅広連係部２を備えた側壁１ａを傾斜面の下方に位置させて敷設する。このとき、貯水槽トレー１の上方は幅狭連係部３を備えた外側壁１ａとなる。そして、その幅狭連係部３の上に、敷設すべき第２の貯水槽トレー１の側壁１ａに形設された幅広連係部２を係合載置する。
【００４７】
一方、第１の貯水槽トレー１の左右方向については、幅狭連係部３に対しては隣接する第３の貯水槽トレー１の幅広連係部２を、幅広連係部２に対しては隣接する第４の貯水槽トレー１の幅狭係合部３を係合し、順次敷設していくものである。
【００４８】
上記敷設により、貯水槽トレー１の幅広連係部２の上面２ａに連なる垂下部２ｂの一辺は、係合部分において常に敷設傾斜面の下方に位置する。従って、広範囲に敷設された貯水槽トレー１の敷設傾斜面の上方から給水されると、各貯水槽トレー１の断面略鉤型の連係部２、３の適宜箇所に形成した通水用の凹溝４（或いは７）を通過して順次下方の貯水槽トレー１に行き渡る。これは、各貯水槽トレー１相互間における水漏れがなく、植栽マット１０の底面潅水用の貯水槽トレー１として極めて有効な敷設方法である。
【００４９】
尚、前述したが、貯水槽トレー１の側壁１ａ上端部又は連結リブ５上端部若しくは画成部材８上端部と、側壁１１ａにへこみ部１２を有する等の植栽マット１０の対向する側壁１１ａ相互間に形成される空間部２０には、給水管を充分に配設することができる。この空間部２０に給水管を所要経路に配管することにより自動潅水装置を構築することができる。
【００５０】
本発明に適用できる貯水槽トレー１は多岐多様にわたる形状・構成を有し、本発明の要旨の範囲内である全てを包含するものである。特に実施形態では、略方形の貯水槽トレー１を示したが、側壁に連係部を形設してこの連係部を係合することにより複数の貯水槽トレーを連接しうる形状、例えば三角形や六角形でもよい。特に、正四角形や正六角形などの正偶数角形に幅広連係部２と幅狭連係部３を同数設けると、同一の製品で連設可能となって好適である。
【００５１】
また、貯水槽トレー１の敷設面への敷き詰めに際しては、各種ある貯水槽トレー１の中から適宜形状の貯水槽トレー１を選定し、適材適所に組み合わせて敷設することが可能であり、その適合性は極めて大きい。
【産業上の利用可能性】
【００５２】
本発明は、例えば植栽設備として利用することができる。
【図面の簡単な説明】
【００５３】
【図１】第一実施形態の植栽マット及び貯水槽トレーの斜視図。
【図２】図１のＡ部拡大図。
【図３】図１のＢ部拡大図。
【図４】図１のＣ部拡大図。
【図５】図１のＤ部拡大図。
【図６】図１のＥ部拡大図。
【図７】第二実施形態の貯水槽トレーの斜視図。
【図８】第三実施形態の貯水槽トレーの斜視図。
【図９】第一実施形態の貯水槽トレーを敷設した状態の正面図。
【図１０】図９のＦ部拡大断面図。
【図１１】植栽マットの変形例の斜視図。
【図１２】第二実施形態の貯水槽トレーを敷設した状態の正面図。
【図１３】図１２のＧ部拡大断面図。
【符号の説明】
【００５４】
１…貯水槽トレー  ２…幅広連係部  ３…幅狭連係部  ４…凹溝  ５…連結リブ  ７…凹溝  ８…画成部材  １０…植栽マット  １２…内向きへこみ部
【図１】
2008173135.tif 000003
【図２】
2008173135.tif 000004
【図３】
2008173135.tif 000005
【図４】
2008173135.tif 000006
【図５】
2008173135.tif 000007
【図６】
2008173135.tif 000008
【図７】
2008173135.tif 000009
【図８】
2008173135.tif 000010
【図９】
2008173135.tif 000011
【図１０】
2008173135.tif 000012
【図１１】
2008173135.tif 000013
【図１２】
2008173135.tif 000014
【図１３】
2008173135.tif 000015